(57)【要約】【課題】バックライトより消費電力の低い発光体を液晶パネルの背面側に設け、ユーザからの入力操作が一定時間無かった時における消費電力を大幅に減らした液晶表示装置を提供する。【解決手段】バックライトユニット１４は、バックライト２の他、ＬＥＤ５０を液晶パネル８の背面側に有する。そして、入力操作が一定時間行われなかった場合、制御部１２により発光調節回路１１へ制御信号が送られ、バックライト２が消灯してＬＥＤ５０が点灯する。この結果、バックライト２より消費電力のかなり低いＬＥＤ５０だけの光により、スクリーンセーバーが行われる。よって、長時間に渡って無操作状態が続いたときに生じるバックライト２による消費電力を大幅に減らすことができる。【選択図】  図３
2008224859.tif 000002
【特許請求の範囲】
【請求項１】
文字又は図形を液晶で表示する液晶パネルと、
前記液晶パネルの背面側に設けられ、光を発光して前記液晶パネルの背面側から出射するバックライトと、
前記液晶パネルの画像制御を行う画像制御手段と、を備えた液晶表示装置において、
前記バックライトより消費電力の低い発光体であって、前記液晶パネルで表示されるＯＳＤの文字又は図形に対向する位置で前記液晶パネルの背面側の位置に、所定の文字を作成して設けられた複数の発光体と、
ユーザからの入力操作が一定時間無かった時、前記バックライトを消灯するとともに前記発光体を点灯又は点滅する発光制御手段と、を備える液晶表示装置。
【請求項２】
文字又は図形を液晶で表示する液晶パネルと、
前記液晶パネルの背面側に設けられ、光を発光して前記液晶パネルの背面側から出射するバックライトと、
前記液晶パネルの画像制御を行う画像制御手段と、を備えた液晶表示装置において、
前記液晶パネルの背面側に設けられ、前記バックライトより消費電力の低い発光体と、
ユーザからの入力操作が一定時間無かった時、前記バックライトを消灯するとともに前記発光体を点灯又は点滅する発光制御手段と、を備える液晶表示装置。
【請求項３】
前記発光体は、前記液晶パネルで表示されるＯＳＤの文字又は図形に対向する位置に設けられた請求項２に記載の液晶表示装置。
【請求項４】
前記発光体を複数設けて、所定の文字を作成した請求項２又は３に記載の液晶表示装置。
【発明の詳細な説明】
【技術分野】
【０００１】
本発明は、省電力機能を有する液晶表示装置に関するものである。
【背景技術】
【０００２】
従来、画像を出力するテレビやパーソナルコンピュータ等の表示装置として液晶表示装置が利用されている。液晶表示装置は、文字又は図形を液晶で表示して画像を出力するため、比較的消費電力の多いバックライトを備えている。バックライトは、冷陰極管等の光源を用いる。
【０００３】
そして、液晶表示装置の中には、省電力機能を有する液晶表示装置がある。この液晶表示装置は、ユーザからの入力操作が一定時間無かった時、バックライトの発光量を小さくして、表示画面に黒の部分が多いスクリーンセーバーに切替える。これにより、この液晶表示装置は、ユーザからの入力操作が一定時間無かった時におけるバックライトの無駄な消費電力を減らす。
なお、特許文献１では、液晶表示装置が提案されている。
【特許文献１】特開平９−２５１１５３号公報
【発明の開示】
【発明が解決しようとする課題】
【０００４】
しかしながら、バックライトは、ＬＥＤ（Light Emitting Diode）などの発光体と比べると、非常に消費電力の多い発光体である。そのため、省電力機能を有する上記液晶表示装置において、ユーザからの入力操作が一定時間無かった時にバックライトの発光量を小さくしても、依然として消費電力が大きかった。
よって、省電力機能を有する上記液晶表示装置では、ユーザからの入力操作が一定時間無かった時にバックライトの発光量を小さくしても、消費電力の削減量が少なかった。
【０００５】
本発明はこのような従来の課題を解決しようとするものであり、バックライトより消費電力の低い発光体を液晶パネルの背面側に設け、ユーザからの入力操作が一定時間無かった時における消費電力を大幅に減らした液晶表示装置を提供することを目的とする。
【課題を解決するための手段】
【０００６】
本発明の液晶表示装置は、前記課題を解決するために以下の構成を備えている。
【０００７】
（１）文字又は図形を液晶で表示する液晶パネルと、
前記液晶パネルの背面側に設けられ、光を発光して前記液晶パネルの背面側から出射するバックライトと、
前記液晶パネルの画像制御を行う画像制御手段と、を備えた液晶表示装置において、
前記液晶パネルの背面側に設けられ、前記バックライトより消費電力の低い発光体と、
ユーザからの入力操作が一定時間無かった時、前記バックライトを消灯するとともに前記発光体を点灯又は点滅する発光制御手段と、を備える。
【０００８】
この構成において、液晶表示装置は、例えば液晶テレビ受像機又は液晶モニタである。発光体は、例えばＬＥＤである。
ユーザからの入力操作が一定時間無かった時、発光制御手段によって、バックライトが消灯して発光体が点灯する。この結果、バックライトより消費電力の低い発光体だけの光により、スクリーンセーバー等が行われる。
よって、長時間に渡って無操作状態が続いたときに生じるバックライトによる消費電力を大幅に減らすことができる。
なお、発光体が点灯し続けると、液晶表示装置が故障したのではないかとユーザに誤解されるおそれがある。そこで、発光体を点滅させても良い。
これにより、液晶表示装置が故障したのではないかとユーザに誤解されるのを防止できる。
【０００９】
（２）前記発光体は、前記液晶パネルで表示されるＯＳＤの文字又は図形に対向する位置に設けられた。
【００１０】
装置本体の設定内容は、ＯＳＤによって表示される。例えば、現在選択されているチャンネル等は、ＯＳＤによって表示される。
この構成において発光体を点灯又は点滅させると、例えば液晶画面右上隅のＯＳＤの文字が明確に表示される。このため、ユーザは現在の装置本体の設定内容を容易に知ることができる。
【００１１】
（３）前記発光体を複数設けて、所定の文字を作成した。
【００１２】
１つの発光体が点灯し続けると、液晶表示装置が故障したのではないかとユーザに誤解されるおそれがある。
そこで、複数の発光体により所定の文字を作成する。所定の文字は、例えば「ＤＶＤ」、「スクリーンセーバー」である。そして、複数の発光体を点灯させると、その所定の文字が液晶画面に表示される。
これにより、液晶表示装置が故障したのではないかとユーザに誤解されるのを防止できる。
【発明の効果】
【００１３】
この発明によれば、長時間に渡って無操作状態が続いたときに生じるバックライトによる消費電力を大幅に減らすことができる。
【発明を実施するための最良の形態】
【００１４】
以下、本発明の実施形態である液晶テレビ受像機について説明する。
【００１５】
図１は、本発明の実施形態である液晶テレビ受像機本体の斜視図を示している。この液晶テレビ受像機１（以下、「液晶ＴＶ１」と称する。）は、液晶パネル８と、放電灯からなるバックライト２と、を備えている。バックライト２は、２本設けられている。バックライト８は、冷陰極管の光源を用いる。バックライト２は、液晶パネル８の背面に配置され、液晶パネル８の背面から光を照射する。
【００１６】
図２は、本発明の実施形態である液晶ＴＶ１の概略ブロック図である。この液晶ＴＶ１は、バックライト２を有するバックライトユニット１４と、チューナ４と、ＡＶ信号処理部５と、ＯＳＤ処理部６と、映像信号処理部７と、液晶パネル８と、音声信号処理部９と、スピーカ１０と、発光調節回路１１と、制御部１２と、図示しないリモコン受光部等を含む操作部１３と、ＤＶＤ装置等の外部映像機器が接続される外部入力端子１５と、を備えている。
【００１７】
図２において、アンテナ３の受信信号はチューナ４に入力され、このときチャンネル（ＣＨ）選局された信号は、ＡＶ信号処理部５により、受信信号の処理と映像信号、音声信号に対する適切な処理が行われる。また、外部入力端子１５から入力された信号も、ＡＶ信号処理部５により、入力信号の処理と映像信号、音声信号に対する適切な処理とが行われる。映像信号は、オンスクリーンディスプレイ（ＯＳＤ）処理部６を介して映像信号処理部７に入力され、液晶パネル８に入力される。映像信号処理部７に入力される際、設定されたモードに応じてＯＳＤ処理部６により受信した映像信号に文字または図形が重畳される。音声信号については、音声信号処理部９に入力され、スピーカ１０から出力される。
【００１８】
制御部１２は、例えばマイクロコンピュータで構成される。制御部１２は、装置本体の各部の動作を制御する制御方法が示された制御プログラムを記憶するＲＯＭ（不図示）と、この制御プログラムを展開するためのワークフィールドとしてのＲＡＭ（不図示）と、後述の図４において時間を計測するタイマー回路（不図示）と、を内蔵する。制御部１２には、操作部１３が接続されている。
【００１９】
操作部１３は、ＣＨ設定スイッチ、各種ファンクション設定スイッチ、リモコン受光部等を有する。さらに、操作部１３は、チューナ４側（テレビモード）と外部入力端子１５側（ビデオモード）とのいずれか一方のモードに切り換える切替キーを有する。ユーザが操作部１３で入力操作を行うと、その操作に応じた信号（コマンド）が制御部１２に伝送される。
【００２０】
制御部１２は、上記制御プログラムに従って、装置本体の全体の制御を行う。詳述すると、チューナ４に対しては、ユーザより選局されたＣＨの信号を出力する。ＡＶ信号処理部５に対しては、映像信号、音声信号処理に対する制御信号を出力する。さらに、ＡＶ信号処理部５へ入力する信号を、いずれか一方に切替える制御信号も出力する。ＯＳＤ処理部６に対しては、液晶パネル８上で映像に文字または図形を重畳して表示する表示信号を出力する。音声信号処理部９に対しては、音声信号出力レベルの制御信号等を出力する。また、発光調節回路１１に対しては、バックライト２の点灯または消灯と後述のＬＥＤの点灯または消灯とを制御するための制御信号を出力する。
【００２１】
次に上記構成からなる液晶ＴＶ１において、省電力機能の概略の動作について説明する。
図３は、省電力機能が実行される際の液晶ＴＶ１の画面推移例を示している。操作部１３の切替キーにより外部入力端子側（ビデオモード）に切り換えられている場合、液晶ＴＶ１の画面は、まず、通常モードとなる。バックライトユニット１４は、バックライト２の他、ＬＥＤ５０を液晶パネル８の背面側に有する。通常モードでは、バックライト２は点灯し、ＬＥＤ５０は消灯している。
なお、通常モードはチューナ４ではなく外部入力端子１５が選択されているモードである。この通常モードでは、映像信号の入力有無にかかわらずＯＳＤ処理部６により、液晶パネル８の右隅に「ビデオ１」の文字または外部機器が選択されていることを表す図形が表示される。
【００２２】
図３の通常モードにおいて、一定時間（本実施の形態では１５分間）、ユーザからの入力操作がなければ、制御部１２は、省電力モードを実行する。これにより、液晶ＴＶ１は、通常モードから省電力モードに遷移し、表示画面に黒の部分が多いスクリーンセーバーに切替わる。具体的には、通常モードにおいて１５分間、操作部１３において入力操作がないと、バックライト２が全て消灯されてＬＥＤ５０が点灯する。
【００２３】
図４は、通常モードが実行されたときの動作を示すフローチャートである。
操作部１３の切替キーにより外部入力端子側（ビデオモード）に切り換えられると、制御部１２は、タイマー回路において時間の計測を開始する（Ｓ１）。
【００２４】
そして、一定時間が経過するまで（Ｓ２）、制御部１２は、操作部１３においてユーザからの入力操作が行われたかどうかを判定する（Ｓ３）。
【００２５】
入力操作が行われた場合、制御部１２は、その操作に応じた命令を実行するとともに（Ｓ４）、その操作に応じた文字または図形を液晶パネル８上へ表示する表示信号をＯＳＤ処理部６に出力させる（Ｓ５）。この結果、ＯＳＤ処理部６により、例えば「ビデオ２」や「５ＣＨ」などの文字が液晶パネル８に表示される。
【００２６】
そして、制御部１２は、現在、外部入力端子１５側（ビデオモード）に切り換えられているかどうかを判定する（Ｓ６）。Ｓ４によってアンテナ３側に切替えられた場合、本処理を終了する。
【００２７】
逆に、引き続き外部入力端子１５側（ビデオモード）に切り換えられている場合、制御部１２は、タイマー回路のタイマーをリセットして再スタートし（Ｓ１）、本処理を継続する。
なお、上記映像が表示されている状態においては所定の操作により上記文字や図形を消すことも可能である。
【００２８】
一方、Ｓ２において、入力操作が一定時間行われなかった場合、制御部１２により発光調節回路１１へ制御信号が送られ、バックライト２が消灯してＬＥＤ５０が点灯する（Ｓ７）。その後、制御部１２は本処理を終了する。この結果、バックライト２より消費電力のかなり低いＬＥＤ５０だけの光により、スクリーンセーバーが行われる。
よって、長時間に渡って無操作状態が続いたときに生じるバックライト２による消費電力を大幅に減らすことができる。
【００２９】
また、本発明の実施形態は、以下の変形例を採用することができる。
【００３０】
（第１変形例）
上記の省電力モードでは、図４のＳ５において、映像信号の入力有無にかかわらずＯＳＤ処理部６により、液晶パネル８の右上隅に「ビデオ１」の文字または外部機器が選択されていることを表す図形が表示される。
しかし、ＬＥＤ５０は画面の中心に配置されているので、画面の右上隅に位置するこれらの文字または図形は明確に表示されない（図３の下段参照）。
そこで、バックライトユニット１４の、液晶パネル８で表示されるＯＳＤの文字又は図形に対向する位置にＬＥＤ５１を設ける（図５上段参照）。そして、図４のＳ７においてＬＥＤ５１を点灯させると、画面右上隅には「ビデオ１」の文字が明確に表示される（図５下段参照）。このため、ユーザは外部入力端子１５が選択された状態にあることに容易に気づく。
以上より、ユーザは現在の装置本体の設定内容を容易に知ることができる。
なお、この変形例では、ＬＥＤ５１が、本発明の「発光体」に相当する。
【００３１】
（第２変形例）
ＬＥＤ５０又はＬＥＤ５１が点灯し続けると、液晶ＴＶ１が故障したのではないかとユーザに誤解されるおそれがある。
そこで、図４のＳ７において、ＬＥＤ５０又はＬＥＤ５１を点滅させても良い。
これにより、液晶ＴＶ１が故障したのではないかとユーザに誤解されるのを防止できる。
【００３２】
（第３変形例）
ＬＥＤ５０又はＬＥＤ５１だけが点灯し続けると、液晶ＴＶ１が故障したのではないかとユーザに誤解されるおそれがある。
そこで、バックライトユニット１４に、複数のＬＥＤ６０を設けて、文字「ＤＶＤ」を作成する（図６上段参照）。そして、図４のＳ７においてＬＥＤ６０を点灯させると、文字「ＤＶＤ」が液晶ＴＶ１の画面に表示される（図６下段参照）。
これにより、液晶ＴＶ１が故障したのではないかとユーザに誤解されるのを防止できる。
【００３３】
さらに、上記第２変形例のように、図４のＳ７においてＬＥＤ６０を点滅させても構わない。
これにより、液晶ＴＶ１が故障したのではないかとユーザに誤解されるのを一層防止できる。
【００３４】
なお、文字は、「ＤＶＤ」に限らず、例えば液晶ＴＶ１を製造したメーカの名前でも構わない。
また、この変形例は、上記第１変形例にも適用できる。具体的には、液晶パネル８で（例えば画面右上隅に）表示されるＯＳＤの文字又は図形に対向する位置にＬＥＤが配置できる文字を選択する。そして、この文字を複数のＬＥＤで作成する。この文字は、例えば「省電力モード」である。
【図面の簡単な説明】
【００３５】
【図１】本発明の実施形態である液晶テレビ受像機本体の斜視図
【図２】本発明の実施形態である液晶ＴＶ１の概略ブロック図
【図３】省電力機能が実行される際の液晶ＴＶ１の画面推移例
【図４】通常モードが実行されたときの動作を示すフローチャート
【図５】ＬＥＤの配置例の一例を示す図
【図６】ＬＥＤの配置例の一例を示す図
【符号の説明】
【００３６】
１−液晶テレビ受像機
２−バックライト
３−アンテナ
４−チューナ
５−ＡＶ信号処理部
６−ＯＳＤ処理部
７−映像信号処理部
８−液晶パネル
９−音声信号処理部
１０−スピーカ
１１−発光調節回路
１２−制御部
１３−操作部
１４−バックライトユニット
１５−外部入力端子
５０−ＬＥＤ
５１−ＬＥＤ
６０−ＬＥＤ
【図１】
2008224859.tif 000003
【図２】
2008224859.tif 000004
【図３】
2008224859.tif 000005
【図４】
2008224859.tif 000006
【図５】
2008224859.tif 000007
【図６】
2008224859.tif 000008